(57)【要約】【課題】石材パネルの取り付け構造において、地震時のように大きな外力が瞬間的に作用するような場合であっても、石材パネルの崩落を防止することができる石材パネルの取り付け構造を提供する。【解決手段】複数の石材パネル１０７の各々の上面を上レール１０２Ａで、下面を下レール１０２Ｂでそれぞれ支持する。【選択図】図２
2007321407.tif 000002
【特許請求の範囲】
【請求項１】
建築物の外壁面上に上下方向において相互に間隔を開けて配置されたレールと、
前記レールの先端をスライド可能に挿入する溝を上面及び下面に形成され、上下方向に配列された複数の石材パネルと、からなる石材パネルの取り付け構造であって、
前記レールは上レールと下レールとの一対のレールからなり、
前記上レールは前記複数の石材パネルのうちの一の石材パネルの上面に形成された前記溝にのみスライド可能に挿入され、前記下レールは前記一の石材パネルの下面に形成された前記溝にのみスライド可能に挿入されていることを特徴とする石材パネルの取り付け構造。
【請求項２】
前記複数の石材パネルは水平方向にも配列されており、
前記石材パネルの取り付け構造はスライド部材をさらに備え、
前記石材パネルの左右側面には上下方向に延びる溝がそれぞれ形成されており、
前記スライド部材は上下方向に配列された複数の前記石材パネルにわたって前記左右側面の前記溝に挿入されることも特徴とする請求項１に記載の石材パネルの取り付け構造。
【発明の詳細な説明】
【技術分野】
【０００１】
本発明は、建築物の外壁面上に複数の石材パネルを取り付けるための石材パネルの取り付け構造に関する。
【背景技術】
【０００２】
従来の石材パネルの取り付け構造の一例として特開２００２−５４２８６号公報に記載されたものがある。
【０００３】
図７は同公報に記載された石材パネルの取り付け構造の斜視図、図８は図７に記載された石材パネルの取り付け構造の縦断面図である。
【０００４】
図７及び図８に示すように、建築物の外壁１には水平方向に延びる複数のレール２が上下方向において等間隔に取り付けられている。
【０００５】
図８に示すように、各レール２は、アンカーボルト６を介して外壁１に固定される固定フランジ３と、固定フランジ３と平行に上下方向に延びる外側フランジ４と、水平方向に延び、固定フランジ３と外側フランジ４とを連結しているウェブ５と、から構成されている。
【０００６】
石材パネル７は大理石や花崗岩からなる矩形状のパネルである。石材パネル７の上面及び下面には石材パネル７の全長にわたって溝８が形成されている。外側フランジ４の先端は溝８にスライド可能に挿入される。
【０００７】
ウェブ５には複数の通気孔１０が形成されており、この通気孔１０により、外壁１と各石材パネル７との間の空間における通気性が確保されている。
【０００８】
図８に示すように、最上位置にある石材パネル７Ａには、前面側の上縁に延長部２１が形成されており、この延長部２１により外側フランジ４が隠れるようになっている。同様に、最下位置にある石材パネル７Ｂには、前面側の下縁に延長部２２が形成されており、この延長部２２により外側フランジ４が隠れるようになっている。
【０００９】
各石材パネル７は以下のようにして取り付けられる。
【００１０】
各石材パネル７には予め溝８が形成されている。
【００１１】
まず、石材パネル７の上下方向の長さに対応して、外壁１に上下方向に等間隔にレール２を取り付ける。
【００１２】
次いで、レール２の一方の端部から、外側フランジ４の先端を上方のレール２の下面の溝８及び下方のレールの上面の溝８に合わせて石材パネル７を上下一対のレール２の間に嵌め込む。
【００１３】
その後、石材パネル７を所定の位置までスライドさせる。
【００１４】
以下、同様にして、複数の石材パネル７を上下一対のレール２の間に嵌め込み、所定の位置までスライドさせる。
【００１５】
上下一対のレール２の間に所定枚数の石材パネル７を嵌め込んだ後、同様にして、その直下（または直上）の上下一対のレール２の間に複数の石材パネル７を嵌め込む。この際、上下方向において各石材パネル７が整列するように各石材パネル７を配列する。
【特許文献１】特開２００２−５４２８６号公報
【発明の開示】
【発明が解決しようとする課題】
【００１６】
図７に示すように、従来の石材パネルの取り付け構造においては、各レール２の水平方向の全長にわたって複数の石材パネル７が支持されている。
【００１７】
例えば、上下方向に配列された一列の石材パネル７に着目すると、図８に示すように、石材パネル７の水平方向における単位長さにおいて、Ｎ個の石材パネル７は（Ｎ＋１）個のレール２により支持されている。例えば、３個の石材パネル７は４個のレール２により支持される。
【００１８】
すなわち、各石材パネル７は（Ｎ＋１）／Ｎ個のレール２により支持されることになるため（Ｎは石材パネル７の個数）、Ｎが大きくなると、各石材パネル７はほぼ１個のレール２により支持される状態に近くなる。
【００１９】
各レール２は自重及び石材パネル７の総重量を考慮して強度が計算されているが、地震時のように、大きな外力が瞬間的に作用した場合には、各レール２に加わる力が各レール２の強度を上回ってしまうおそれがある。
【００２０】
これは、上述のように、Ｎが大きくなると、各石材パネル７はほぼ１個のレール２により支持されることになるため、石材パネル７を支持するレール２の全体の強度が不足するためである。
【００２１】
本発明はこのような従来の石材パネルの取り付け構造における問題点に鑑みてなされたものであり、石材パネルの取り付け構造において、地震時のように大きな外力が瞬間的に作用するような場合に備えて、石材パネルの耐震性を向上させることができる石材パネルの取り付け構造を提供することを目的とする。
【課題を解決するための手段】
【００２２】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００２３】
上記の目的を達成するため、本発明は、建築物の外壁（１０１）面上に上下方向において相互に間隔を開けて配置されたレールと、前記レールの先端をスライド可能に挿入する溝（１０８）を上面及び下面に形成され、上下方向に配列された複数の石材パネル（１０７）と、からなる石材パネルの取り付け構造であって、前記レールは上レール（１０２Ａ）と下レール（１０２Ｂ）との一対のレールからなり、前記上レール（１０２Ａ）は前記複数の石材パネル（１０７）のうちの一の石材パネルの上面に形成された前記溝（１０８）にのみスライド可能に挿入され、前記下レール（１０２Ｂ）は前記一の石材パネルの下面に形成された前記溝（１０８）にのみスライド可能に挿入される。
【００２４】
前記複数の石材パネルは水平方向にも配列される場合には、本発明に係る石材パネルの取り付け構造はスライド部材（１１３）をさらに備えることが好ましい。この場合、前記石材パネル（１０７）の左右側面には上下方向に延びる溝（１０９）がそれぞれ形成されており、前記スライド部材（１１３）は上下方向に配列された複数の前記石材パネル（１０７）にわたって前記左右側面の前記溝（１０９）に挿入される。
【発明の効果】
【００２５】
本発明に係る石材パネルの取り付け構造によれば、各石材パネルは上下一対のレールにより支持される。従来の石材パネルの取り付け構造によれば、各石材パネルは（Ｎ＋１）／Ｎ個のレールにより支持されていたため（Ｎは石材パネルの個数）、Ｎが大きくなると、各石材パネルはほぼ１個のレールにより支持される状態になっていた。これに対して、本発明に係る石材パネルの取り付け構造によれば、各石材パネルは常に上下一対のレール、すなわち、２個のレールにより支持されることになる。このため、地震時のように、大きな外力が瞬間的に作用する場合であっても、各レールに加わる力が各レールの強度を上回ることはなく、石材パネルの耐震性を向上させることが可能である。
【００２６】
さらに、スライド部材を設けることにより、水平方向において左右に隣接する石材パネルの間に形成される隙間を隠すことができる。あるいは、スライド部材上において、その隙間にシール性能を有する充填材を埋め込むことができる。
【発明を実施するための最良の形態】
【００２７】
（第一の実施形態）
図１は本発明の第一の実施形態に係る石材パネルの取り付け構造の斜視図、図２は図１に示した石材パネルの取り付け構造において上下方向に配列された石材パネルの縦断面図である。
【００２８】
図１及び図２に示すように、建築物の外壁１０１には水平方向に延びる複数のレールが上下方向において等間隔に取り付けられている。
【００２９】
複数のレールの各々は上レール１０２Ａと下レール１０２Ｂとから構成されている。上レール１０２Ａ及び下レール１０２Ｂはともに後述する石材パネル１０７の幅（図１の左右方向における長さ、あるいは、図２の紙面と垂直な方向における長さ）と同一の長さ、または、石材パネル１０７の幅よりもやや大きい長さを有している。
【００３０】
上レール１０２ＡはＬ字型の板部材２０１とＵ字型の板部材２０２とからなる。
【００３１】
Ｌ字型の板部材２０１は、アンカーボルト１０６を介して外壁１０１に固定される固定フランジ２０３と、固定フランジ２０３の一端から固定フランジ２０３と直角に延びる延長部２０４と、からなる。
【００３２】
Ｕ字型の板部材２０２は、アンカーボルト１０６を介して外壁１０１に固定される固定フランジ２０５と、固定フランジ２０５の一端から固定フランジ２０５と直角に延びる延長部２０６と、延長部２０６の先端から固定フランジ２０５と同方向に、すなわち、下方に延びる先端部２０７と、からなる。
【００３３】
板部材２０１の延長部２０４と板部材２０２の延長部２０６とは相互に溶接されており、これにより、板部材２０１と板部材２０２とが一体となって上レール１０２Ａを形成している。
【００３４】
下レール１０２Ｂも上レール１０２Ａと同様の構造を有している。
【００３５】
すなわち、下レール１０２ＢはＬ字型の板部材２１１とＵ字型の板部材２１２とからなる。
【００３６】
Ｌ字型の板部材２１１は、アンカーボルト１０６を介して外壁１０１に固定される固定フランジ２１３と、固定フランジ２１３の一端から固定フランジ２１３と直角に延びる延長部２１４と、からなる。
【００３７】
Ｕ字型の板部材２１２は、アンカーボルト１０６を介して外壁１０１に固定される固定フランジ２１５と、固定フランジ２１５の一端から固定フランジ２１５と直角に延びる延長部２１６と、延長部２１６の先端から固定フランジ２１５と同方向に、すなわち、上方に延びる先端部２１７と、からなる。
【００３８】
板部材２１１の延長部２１４と板部材２１２の延長部２１６とは相互に溶接されており、これにより、板部材２１１と板部材２１２とが一体となって下レール１０２Ｂを形成している。
【００３９】
石材パネル１０７は大理石や花崗岩からなる矩形状のパネルである。石材パネル１０７の上面及び下面には石材パネル１０７の全長（図２の紙面と直交する方向における全長、すなわち、図１の左右方向における全長）にわたって溝１０８が形成されている。
【００４０】
上レール１０２Ａを構成する板部材２０２の先端部２０７は石材パネル１０７の上面に形成された溝１０８にスライド可能に挿入され、下レール１０２Ｂを構成する板部材２１２の先端部２１７は石材パネル１０７の下面に形成された溝１０８にスライド可能に挿入される。
【００４１】
板部材２１１の延長部２１４と板部材２１２の延長部２１６には等間隔にそれらを貫通する通気孔１１０が形成されている。
【００４２】
図２に示すように、最上位置にある石材パネル１０７には、前面側の上縁に延長部１２１が形成されており、この延長部１２１により延長部２０４、２０６が隠れるようになっている。同様に、最下位置にある石材パネル（図示せず）には、前面側の下縁に延長部が形成されており、この延長部により延長部２０４、２０６が隠れるようになっている。
【００４３】
本実施形態に係る石材パネルの取り付け構造における各石材パネル１０７は以下のようにして取り付けられる。
【００４４】
まず、石材パネル１０７の上下方向の長さに対応して、外壁１０１に上下方向に複数組の上レール１０２Ａ及び下レール１０２Ｂを取り付ける。
【００４５】
次いで、上レール１０２Ａ及び下レール１０２Ｂの一方の端部から、上レール１０２Ａの先端部２０７を石材パネル１０７の上面の溝１０８に、下レール１０２Ｂの先端部２１７を石材パネル１０７の下面の溝１０８にそれぞれ合わせて石材パネル１０７を上レール１０２Ａと下レール１０２Ｂとの間に嵌め込む。
【００４６】
以下、同様にして、複数の石材パネル１０７の各々を上レール１０２Ａと下レール１０２Ｂとの間に嵌め込む。
【００４７】
これにより、本実施形態に係る石材パネルの取り付け構造が形成される。
【００４８】
本実施形態に係る石材パネルの取り付け構造によれば、各石材パネル１０７は上レール１０２Ａ及び下レール１０２Ｂにより支持される。
【００４９】
従来の石材パネルの取り付け構造においては、各石材パネルは（Ｎ＋１）／Ｎ個のレールにより支持されていたため（Ｎは石材パネルの個数）、Ｎが大きくなると、各石材パネルはほぼ１個のレールにより支持される状態になっていた。
【００５０】
これに対して、本実施形態に係る石材パネルの取り付け構造によれば、各石材パネル１０７は常に上レール１０２Ａ及び下レール１０２Ｂ、すなわち、２個のレールにより支持されることになる。このため、地震時のように、大きな外力が瞬間的に作用する場合であっても、各レール１０２Ａ、１０２Ｂに加わる力が各レール１０２Ａ、１０２Ｂの強度を上回ることはなく、各レール１０２Ａ、１０２Ｂが外壁１０１から外れて石材パネル１０７とともに崩壊する危険性をなくすことが可能である。すなわち、石材パネル１０７の耐震性を向上させることができる。
【００５１】
本実施形態に係る石材パネルの取り付け構造は上述の構造に限定されるものではなく、種々の変更が可能である。
【００５２】
例えば、上レール１０２Ａ及び下レール１０２Ｂの構造を変更することが可能である。以下に、第一変形例及び第二変形例として、上レール１０２Ａ及び下レール１０２Ｂの構造を変更した変形例を説明する。
【００５３】
（第一変形例）
図３は第一変形例に係る石材パネルの取り付け構造の縦断面図である。
【００５４】
第一変形例においては、上レール１０２Ａ及び下レール１０２Ｂ（最上位置にある石材パネル１０７に対応する上レール１０２Ａ及び最下位置にある石材パネル１０７に対応する下レール１０２Ｂを除く）の構造が変更されている。
【００５５】
すなわち、第一変形例においては、上下方向に隣接する２つの石材パネル１０７のうち、上方に位置する石材パネル１０７の下レール１０２Ｂにおける板部材２１１と、下方に位置する石材パネル１０７の上レール１０２Ａにおける板部材２０１とが一体化された一つの板部材２２０として形成されている。
【００５６】
板部材２２０は、固定フランジ２０５、２１５の端部を結合した形状であるＵ字型形状をなしており、上述の第一の実施形態における下レール１０２Ｂにおける板部材２１１と上レール１０２Ａにおける板部材２０１との双方の機能を有している。
【００５７】
第一変形例に係る石材パネルの取り付け構造によれば、上下方向において隣接する二つの石材パネル１０７の間の隙間を小さくすることができる。
【００５８】
（第二変形例）
図４は第二変形例に係る石材パネルの取り付け構造の縦断面図である。
【００５９】
第二変形例においては、上レール１０２Ａ及び下レール１０２Ｂ（最上位置にある石材パネル１０７に対応する上レール１０２Ａ及び最下位置にある石材パネル１０７に対応する下レール１０２Ｂを除く）の構造が変更されている。
【００６０】
すなわち、第二変形例においては、上レール１０２Ａは板部材２０２のみからなり、同様に、下レール１０２Ｂも板部材２１２のみからなっている。ただし、第二変形例における各板部材２０２、２１２の固定フランジ２０５、２１５は第一の実施形態における固定フランジ２０５、２１５よりも長く形成されている。このため、第二変形例における固定フランジ２０５、２１５は複数個のアンカーボルト１０６を介して外壁１０１に固定されている。
【００６１】
第二変形例に係る石材パネルの取り付け構造によれば、板部材２０１、２１１を省略することができるため、二つの板部材２０１、２１１の固定フランジ２０３、２１３に対応する長さの分だけ、上下方向において隣接する二つの石材パネル１０７の間の隙間を小さくすることができる。
【００６２】
（第二の実施形態）
図５は本発明の第二の実施形態に係る石材パネルの取り付け構造の斜視図、図６は図１に示した石材パネルの取り付け構造における一石材パネルの縦断面図である。
【００６３】
図５に示すように、本実施形態における石材パネル１０７の左右側面には上下方向に延びる溝１０９が石材パネル１０７の全高にわたって形成されている。
【００６４】
本実施形態に係る石材パネルの取り付け構造はスライド部材１１３をさらに備えている。
【００６５】
石材パネル１０７の左右側面に溝１０９が形成されている点及びスライド部材１１３をさらに備える点を除いて、本実施形態に係る石材パネルの取り付け構造は第一の実施形態に係る石材パネルの取り付け構造と同一の構造を有している。
【００６６】
スライド部材１１３は、ストリップ状の細長い板部材からなり、スライド部材１１３の厚さは石材パネル１０７の左右側面に形成されている溝１０９の幅よりも僅かに小さい。すなわち、スライド部材１１３は溝１０９にスライド可能に挿入できるようになっている。
【００６７】
本実施形態に係る石材パネルの取り付け構造においては、上レール１０２Ａ及び下レール１０２Ｂの長さは、スライド部材１１３が溝１０９に挿入される分だけ、第一の実施形態における上レール１０２Ａ及び下レール１０２Ｂの長さと比較して、短く形成されている。
【００６８】
図５及び図６に示すように、スライド部材１１３は、水平方向において左右に隣接した二つの石材パネル１０７の各溝１０９にスライド可能に挿入される。
【００６９】
本実施形態に係る石材パネルの取り付け構造によれば、スライド部材１１３により、水平方向において左右に隣接する石材パネル１０７の間に形成される隙間を隠すことができる。
【００７０】
さらに、スライド部材１１３上において、その隙間にシール性能を有する充填材を埋め込むことが可能である。
【図面の簡単な説明】
【００７１】
【図１】本発明の第一の実施形態に係る石材パネルの取り付け構造の斜視図である。
【図２】本発明の第一の実施形態に係る石材パネルの取り付け構造において上下方向に配列された石材パネルの縦断面図である。
【図３】本発明の第一の実施形態の第一変形例に係る石材パネルの取り付け構造の縦断面図である。
【図４】本発明の第一の実施形態の第二変形例に係る石材パネルの取り付け構造の縦断面図である。
【図５】本発明の第二の実施形態に係る石材パネルの取り付け構造の斜視図である。
【図６】本発明の第二の実施形態に係る石材パネルの取り付け構造における一石材パネルの縦断面図である。
【図７】従来の石材パネルの取り付け構造の斜視図である。
【図８】図７に記載された従来の石材パネルの取り付け構造の縦断面図である。
【符号の説明】
【００７２】
１０１  建築物の外壁
１０２Ａ  上レール
１０２Ｂ  下レール
１０６  アンカーボルト
１０７  石材パネル
１０８、１０９  溝
１１０  通気孔
１１３  スライド部材
２０１、２０２  板部材
２０３、２１３  固定フランジ
２０４、２１４  延長部
２０５、２１５  固定フランジ
２０６、２１６  延長部
２０７、２１７  先端部
２２０  板部材
【図１】
2007321407.tif 000003
【図２】
2007321407.tif 000004
【図３】
2007321407.tif 000005
【図４】
2007321407.tif 000006
【図５】
2007321407.tif 000007
【図６】
2007321407.tif 000008
【図７】
2007321407.tif 000009
【図８】
2007321407.tif 000010